(57)【要約】【課題】コックに取り付けることで、誰でも簡単に飲料を注出することができ、注出量を微調整可能な、飲料用補助コックを提供する。【解決手段】コックに取り付けて、前記コックを間接的に操作して飲料を注出するための飲料用補助コックであって、本体、蓋、および、補助レバーを有し、前記蓋は、前記コック本体を開閉可能に取り付けられ、前記補助レバーは、グリップ部および、前記コックのレバーを下方から押圧するためのアーム部を有し、前記コックのレバーよりも下に位置する支点を中心に回動可能に前記本体に取り付けられており、前記補助レバーを倒す方向に力を加えると、前記補助レバーが回動し、前記アーム部の２つに分岐した先端が前記コックの２つのレバーを下方から押圧し、前記コックの弁が開いて飲料が注出される。【選択図】図１
2020050410.tif 000002
【特許請求の範囲】
【請求項１】
飲料を注出するコックに取り付けて、前記コックを間接的に操作して飲料を注出するための飲料用補助コックであって、
前記コックは、コック本体、前記コック本体から左右に突出する２つのレバー、注出口、前記注出口を開閉する弁、前記飲料が収容された飲料収容体に固定するための取付部、および、前記取付部と前記コック本体とを接続する通路部を有し、前記取付部には鍔部が設けれており、前記レバーを下から上に押圧することにより前記弁が開き、前記レバーの押圧を解除すると、前記弁に作用している弾性力によって前記弁が閉じられて前記レバーが下方へと移動し、
前記飲料用補助コックは、前記コックを収容する本体、蓋、および、補助レバーを有し、
前記本体は、背面側に取付プレートを有し、前記取付プレートに設けられた略Ｕ字状の開口、前記蓋によって開閉される上部開口、および、前記コックの注出口から出た飲料を外部へと注出する注出開口が設けられ、
前記蓋は前記上部開口を開閉可能に前記本体に取り付けられており、前記補助レバーのグリップ部が突出される開口を有し、
前記補助レバーは、前記蓋の開口から一部が上方に突出して持ち手となるグリップ部、および、前記コックの２つの前記レバーを下方から押圧するアーム部を有し、前記グリップ部と前記アーム部が屈曲部によって接続され、前記コックのレバーよりも下に位置する支点を中心に回動可能に前記本体に取り付けられており、
前記コックの取付部の鍔部の縁を、前記取付プレートに対向し垂直に延伸するように設けられた２つの溝に下方から挿入すると、前記本体内に前記コック本体が収容され、前記蓋を閉じると前記補助コックは前記コックに取り付けられ、
前記補助レバーを倒すと、前記補助レバーが前記支点を中心に回動し、前記アーム部の２つに分岐した先端が、前記コックの２つの前記レバーを下方から押圧し、前記コックの弁が開いて飲料が注出されることを特徴とする飲料用補助コック。
【請求項２】
飲料を注出するコックに取り付けて、前記コックを間接的に操作して飲料を注出するための飲料用補助コックであって、
前記コックは、コック本体、前記コック本体から左右に突出する２つのレバー、注出口、前記注出口を開閉する弁、前記飲料が収容された飲料収容体に固定するための取付部、および、前記取付部と前記コック本体とを接続する通路部を有し、前記取付部には鍔部が設けれており、前記レバーを下から上に押圧することにより前記弁が開き、前記レバーの押圧を解除すると、前記弁に作用している弾性力によって前記弁が閉じられて前記レバーが下方へと移動し、
前記飲料用補助コックは、前記コックを収容する本体、蓋、および、補助レバーを有し、
前記本体は、背面側に設けられた取付プレート、および、前記コックの２つのレバーを保持する、内部に設けられた保持部を有し、前記取付プレートに設けられた略Ｕ字状の開口、前記蓋によって開閉される上部開口、および、前記コックの注出口から出た飲料を外部へと注出する注出開口が設けられ、
前記蓋は前記上部開口を開閉可能に前記本体に取り付けられており、前記補助レバーのアーム部が通過する開口を有し、
前記補助レバーは、持ち手となるグリップ部、および、前記コック本体を上から押圧するアーム部を有し、前記グリップ部と前記アーム部が屈曲部によって接続され、前記コック本体の上方に位置する支点を中心に回動可能に前記蓋に取り付けられており、回動時には前記アーム部の先端が前記蓋の開口から前記本体内へと移動し、
前記コックの取付部の鍔部の縁を、前記取付プレートに対向し垂直に延伸するように設けられた２つの溝に下方から挿入すると、前記本体内に前記コック本体が収容され、前記蓋を閉じると前記補助コックは前記コックに取り付けられ、
前記補助レバーを倒すと、前記補助レバーが回動して前記アーム部の先端が前記コック本体を上方から押圧することによって、前記飲料用補助コックが前記コックに対して上方へと移動して前記コックの２つのレバーが前記保持部によって下方から押圧されて、前記コックの弁が開いて飲料が注出されることを特徴とする飲料用補助コック。
【請求項３】
前記蓋は、平坦部、および、前記平坦部から下方へと傾斜する傾斜部を有し、前記傾斜部に、前記蓋の開口の少なくとも一部が配置されていることを特徴とする、請求項１に記載の飲料用補助コック。
【請求項４】
前記補助レバーは、前記グリップ部と前記アーム部とが互いに着脱可能に接続されていることを特徴とする、請求項１〜３のいずれか１項に記載の飲料用補助コック。  
【請求項５】
前記蓋は、前記本体に一部が接続された状態で、前記上部開口を開閉可能であることを特徴とする、請求項１〜４のいずれか１項に記載の飲料用補助コック。
【請求項６】
前記蓋は、前記本体に着脱可能に取り付けられていることを特徴とする、請求項１〜４のいずれか1項に記載の飲料用補助コック。
【発明の詳細な説明】
【技術分野】
【０００１】
本発明は、飲料を注出するコックに取り付けて前記コックを間接的に操作して飲料を注出するための飲料用補助コックに関する。
【背景技術】
【０００２】
飲料が入った袋に飲料注出用のコックを直接取り付けておき、コックを操作することで簡単に袋などから飲料を注出することができるもの（特許文献１〜３参照）がこれまでに多数存在しており、使用するコックにも様々な構造が用いられている。
【０００３】
このようなコックは主にコストの問題で、簡単な構造を用いたものが多く、給水装置などに用いられているコックに比べて使い勝手の面で劣る場合が多い。そのため、コックの使い勝手を向上するために、コックを操作する別部材として用いられる補助用のコック（特許文献４参照）も存在する。
【先行技術文献】
【特許文献】
【０００４】
【特許文献１】特開２００３−２０６０００号公報
【特許文献２】特開２０１３−１６３５３９号公報
【特許文献３】特開２０１５−７４０号公報
【特許文献４】実公昭５５−１３２８０号公報
【発明の概要】
【発明が解決しようとする課題】
【０００５】
簡単な構造のコックとして、レバーを用いて弁を開閉する構造を用いたものが存在しているが、このような構造のコックの場合、飲料を注出するために、コックの本体から左右に突出しているレバーを下から押す操作を行うが、レバーは小さくて力を加え難いという問題があり、さらに、レバーを操作して注出量を微調整するのは難しいという問題があった。また、レバーを操作する際に、手が注出口に近づくので飲料が手に付着するという問題もあった。
【０００６】
そこで、本発明は、コックに取り付けることで、誰でも簡単な操作で飲料を注出することができ、さらに、注出量を微調整することが可能な、飲料用補助コックを提供することを目的とする。
【課題を解決するための手段】
【０００７】
本発明の飲料用補助コックは、飲料を注出するコックに取り付けて、前記コックを間接的に操作して飲料を注出するための飲料用補助コックであって、前記コックは、コック本体、前記コック本体から左右に突出する２つのレバー、注出口、前記注出口を開閉する弁、前記飲料が収容された飲料収容体に固定するための取付部、および、前記取付部と前記コック本体とを接続する通路部を有し、前記取付部には鍔部が設けれており、前記レバーを下から上に押圧することにより前記弁が開き、前記レバーの押圧を解除すると、前記弁に作用している弾性力によって前記弁が閉じられて前記レバーが下方へと移動し、前記飲料用補助コックは、前記コックを収容する本体、蓋、および、補助レバーを有し、前記本体は、背面側に取付プレートを有し、前記取付プレートに設けられた略Ｕ字状の開口、前記蓋によって開閉される上部開口、および、前記コックの注出口から出た飲料を外部へと注出する注出開口が設けられ、前記蓋は前記上部開口を開閉可能に前記本体に取り付けられており、前記補助レバーのグリップ部が突出される開口を有し、前記補助レバーは、前記蓋の開口から一部が上方に突出して持ち手となるグリップ部、および、前記コックの２つの前記レバーを下方から押圧するアーム部を有し、前記グリップ部と前記アーム部が屈曲部によって接続され、前記コックのレバーよりも下に位置する支点を中心に回動可能に前記本体に取り付けられており、前記コックの取付部の鍔部の縁を、前記取付プレートに対向し垂直に延伸するように設けられた２つの溝に下方から挿入すると、前記本体内に前記コック本体が収容され、前記蓋を閉じると前記補助コックは前記コックに取り付けられ、前記補助レバーを倒すと、前記補助レバーが前記支点を中心に回動し、前記アーム部の２つに分岐した先端が、前記コックの２つの前記レバーを下方から押圧し、前記コックの弁が開いて飲料が注出されることを特徴とする。
【０００８】
本発明の別の形態の飲料用補助コックは、前記コックを収容する本体、蓋、および、補助レバーを有し、前記本体は、背面側に設けられた取付プレート、および、前記コックの２つのレバーを保持する、内部に設けられた保持部を有し、前記取付プレートに設けられた略Ｕ字状の開口、前記蓋によって開閉される上部開口、および、前記コックの注出口から出た飲料を外部へと注出する注出開口が設けられ、前記蓋は前記上部開口を開閉可能に前記本体に取り付けられており、前記補助レバーのアーム部が通過する開口を有し、前記補助レバーは、持ち手となるグリップ部、および、前記コック本体を上から押圧するアーム部を有し、前記グリップ部と前記アーム部が屈曲部によって接続され、前記コック本体の上方に位置する支点を中心に回動可能に前記蓋に取り付けられており、回動時には前記アーム部の先端が前記蓋の開口から前記本体内へと移動し、前記コックの取付部の鍔部の縁を、前記取付プレートに対向し垂直に延伸するように設けられた２つの溝に下方から挿入すると、前記本体内に前記コック本体が収容され、前記蓋を閉じると前記補助コックは前記コックに取り付けられ、前記補助レバーを倒すと、前記補助レバーが回動して前記アーム部の先端が前記コック本体を上方から押圧することによって、前記飲料用補助コックが前記コックに対して上方へと移動して前記コックの２つのレバーが前記保持部によって下方から押圧されて、前記コックの弁が開いて飲料が注出されることを特徴とする。
【０００９】
前記蓋は、平坦部、および、前記平坦部から下方へと傾斜する傾斜部を有し、前記傾斜部に、前記蓋の開口の少なくとも一部が配置されている。
【００１０】
前記補助レバーは、前記グリップ部と前記アーム部とが互いに着脱可能に接続された構造とすることも可能である。
【００１１】
前記蓋は、前記本体に一部が接続された状態で、前記上部開口を開閉可能に取り付けられている、または、前記本体に着脱可能に取り付けられている。
【発明の効果】
【００１２】
本発明の飲料用補助コックは、飲料を注出するコックに取り付けて、前記コックを間接的に操作して飲料を注出するための飲料用補助コックであって、前記コックを収容する本体、蓋、および、補助レバーを有し、前記本体は、背面側に取付プレートを有し、前記取付プレートに設けられた略Ｕ字状の開口、前記蓋によって開閉される上部開口、および、前記コックの注出口から出た飲料を外部へと注出する注出開口が設けられ、前記蓋は前記上部開口を開閉可能に前記本体に取り付けられており、前記補助レバーのグリップ部が突出される開口を有し、前記補助レバーは、前記蓋の開口から一部が上方に突出して持ち手となるグリップ部、および、前記コックの２つの前記レバーを下方から押圧するアーム部を有し、前記グリップ部と前記アーム部が屈曲部によって接続され、前記コックのレバーよりも下に位置する支点を中心に回動可能に前記本体に取り付けられており、前記コックの取付部の鍔部の縁を、前記取付プレートに対向し垂直に延伸するように設けられた２つの溝に下方から挿入すると、前記本体内に前記コック本体が収容され、前記蓋を閉じると前記補助コックは前記コックに取り付けられ、前記補助レバーを倒すと、前記補助レバーが前記支点を中心に回動し、前記アーム部の２つに分岐した先端が、前記コックの２つの前記レバーを下方から押圧し、前記コックの弁が開いて飲料が注出されることにより、補助レバーを用いた簡単な操作で、飲料を注出することができ、また、注出量の微調整も可能となる。
【００１３】
本発明の別の形態の飲料用補助コックは、前記コックを収容する本体、蓋、および、補助レバーを有し、前記本体は、背面側に設けられた取付プレート、および、前記コックの２つのレバーを保持する、内部に設けられた保持部を有し、前記取付プレートに設けられた略Ｕ字状の開口、前記蓋によって開閉される上部開口、および、前記コックの注出口から出た飲料を外部へと注出する注出開口が設けられ、前記蓋は前記上部開口を開閉可能に前記本体に取り付けられており、前記補助レバーのアーム部が通過する開口を有し、前記補助レバーは、持ち手となるグリップ部、および、前記コック本体を上から押圧するアーム部を有し、前記グリップ部と前記アーム部が屈曲部によって接続され、前記コック本体の上方に位置する支点を中心に回動可能に前記蓋に取り付けられており、回動時には前記アーム部の先端が前記蓋の開口から前記本体内へと移動し、前記コックの取付部の鍔部の縁を、前記取付プレートに対向し垂直に延伸するように設けられた２つの溝に下方から挿入すると、前記本体内に前記コック本体が収容され、前記蓋を閉じると前記補助コックは前記コックに取り付けられ、前記補助レバーを倒すと、前記補助レバーが回動して前記アーム部の先端が前記コック本体を上方から押圧することによって、前記飲料用補助コックが前記コックに対して上方へと移動して前記コックの２つのレバーが前記保持部によって下方から押圧されて、前記コックの弁が開いて飲料が注出されることにより、補助レバーを用いた簡単な操作で、飲料を注出することができ、また、注出量の微調整も可能となる。
【００１４】
前記蓋は、平坦部、および、前記平坦部から下方へと傾斜する傾斜部を有し、前記傾斜部に、前記蓋の開口の少なくとも一部が配置されていることにより、前記飲料用補助コックを小さなサイズにすることが可能となる。
【００１５】
前記補助レバーを、前記グリップ部と前記アーム部とを互いに着脱可能な構造とすることで、前記飲料用補助コックの組み立てを簡単にし、さらに、外部に露出されるグリップ部のデザインを様々な形態に簡単に変更することができるようになる。
【図面の簡単な説明】
【００１６】
【図１】本発明の第１の実施形態の飲料用補助コックの一部を切り欠いた状態の斜視図である。
【図２】第1の実施形態の飲料用補助コックの一部を切り欠いた状態の側面図である。
【図３】第１の実施形態の飲料用補助コックの本体の斜視図である。
【図４】第１の実施形態の飲料用補助コックのグリップ部を取り外した状態の斜視図である。
【図５】第１の実施形態の飲料用補助コックの補助レバーをグリップ部とアーム部とに分離した状態の側面図である。
【図６】第１の実施形態の飲料用補助コックのアーム部の平面図である。
【図７】飲料用補助コックを取り付けるコックの斜視図である。
【図８】本発明の第２の実施形態の飲料用補助コックの一部を切り欠いた状態の斜視図である。
【図９】本発明の第２の実施形態の飲料用補助コックの断面図である。
【図１０】本発明の第２の実施形態の飲料用補助コックの断面図であり、図９と直交する方向の断面図である。
【図１１】第２の実施形態の飲料用補助コックの本体の斜視図である。
【図１２】第２の実施形態の飲料用補助コックの蓋の斜視図である。
【図１３】第２の実施形態の飲料用補助コックの補助レバーをグリップ部とアーム部とに分離した状態の側面図である。
【発明を実施するための形態】
【００１７】
本発明の飲料用補助コック１を、図を用いて以下に詳細に説明する。図１が本発明の第１の実施形態の飲料用補助コック１の一部を切り欠いた状態の斜視図であり、図２が一部を切り欠いた状態の側面図である。
【００１８】
第１の実施形態の飲料用補助コック１は、袋などの飲料収容体（図示せず）に固定されたコック３１に取り付けて使用するものであり、前記コック３１を間接的に操作して袋などの飲料収容体の中に収容された飲料を注出するために用いられる。
【００１９】
第１の実施形態の飲料用補助コック１を説明する前に、飲料用補助コック１を取り付ける、袋などの飲料収容体の側面に固定されたコック３１について説明する。前記コック３１は、図７に示すように、コック本体３２、前記コック本体３２から左右に突出した２つのレバー３３、飲料を注出するための注出口３４、ばねなどの弾性手段（図示せず）によって前記注出口３４を開閉する弁（図示せず）、前記飲料収容体に前記コック３１を固定するための取付部３５、前記コック本体３２と前記取付部３５とを接続し内部を飲料が通過する通路部３６を有している。前記取付部３５は、前記鍔部３７を有しており、そして、前記取付部３５内を前記通路部３６は延伸し、前記飲料収容体の内部と接続されており、前記飲料収容体内の飲料が前記コック本体３２へと送られる。
【００２０】
前記コック本体３２の内部には、前記通路部３６から前記注出口３４へと繋がる飲料用の通路が設けられており、飲料収容体内の飲料は、前記通路部３６を通り、前記コック本体３２内部の通路を通過して前記注出口３４から注出される。通常時は、ばねなどの弾性手段による弾性力が作用して前記弁は前記注出口３４を閉じているが、２つの前記レバー３３を下から上に押圧すると、前記弁が開いて飲料が前記注出口３４から注出することができる。前記レバーに３３には弁を閉じる方向に（下方に）弾性力が作用しているので、２つの前記レバー３３を離すと、２つの前記レバー３３は下方へと移動し、再び弁が閉じた状態となり、飲料の注出は停止される。
【００２１】
第１の実施形態の飲料用補助コック１は、図１，２に示すように、本体２、蓋３、および、補助レバー４を有し、前記コック３１に取り付けて、補助レバー４を操作することで、前記飲料収容体内の飲料を注出することができる。
【００２２】
前記本体２は、前記コック３１を内部に収容する大きさおよび形状を有しており、図３に示すように、両側面は曲面で構成され、前面は前記補助レバー４の移動範囲を確保するために前方へと突出する曲面から構成され、平坦な底面の中央付近には下方へと突出したすり鉢状の突出部を有し、背面には矩形の取付プレート５が設けられている。すり鉢状の突出部の内面には複数の補強用リブ１２が設けられており、前記本体２の強度を確保している。また、前記本体２の底面の平坦な部分の上には、前記補助レバー４を回動可能に取り付けるための２つの軸受１８（図３には一方の軸受１８だけが図示されている）が対向するように設けられている。さらに、前記本体２は、略Ｕ字状開口７、上部開口８、および、注出開口９が設けられており、前記略Ｕ字状開口７および前記上部開口８を利用して、前記コック３１が内部に収容される。前記コック３１を前記本体２内に収容した時に、前記補強用リブ１２によって、前記コック３１の注出口３４は前記本体２の注出開口９内にずれることなく位置決めされる。
【００２３】
図３に示すように、前記略Ｕ字状開口７は前記取付プレート５に設けられており、前記コック３１の通路部３６の部分が上方から挿入される。前記本体２の上部の全体が開放されて前記上部開口８が設けられている。図３に示すように、前記本体２の上端の外側にはヒンジ１０と凸部１１が対向する位置に設けられており、前記ヒンジ１０を用いて前記蓋３が開閉可能に取り付けられ、前記凸部１１を用いて前記蓋３は前記本体２に固定される。前記注出開口９はすり鉢状の突出部の一番下の部分に設けられている。図２に示すように、前記コック３１の注出口３４の先端が前記注出開口９内に配置され、これにより前記注出口３４から出た飲料は外部へと注出される。前記注出口３４と前記注出開口９の位置関係は、飲料が前記注出口３４および前記注出開口９を通じて注出できればよく、前記注出口３４の先端が、前記注出開口９から突出する形態、前記注出開口９よりも上方に位置する形態、前記本体２内に設けた通路を通じて前記注出口３４と前記注出開口９とが接続される形態なども可能である。
【００２４】
前記取付プレート５の左右の縁には、図３に示すように、垂直方向に延伸し、互いに対向するように設けられた２つの溝６が設けられている。２つの前記溝６の間隔は、前記溝６内に前記コック３１の鍔部３７の縁の一部が挿入されるように設定されており、また、２つの前記溝６の縁の対向する面の間に、前記コック３１の取付部３５が挿入されるように設定されている。これにより、前記コック３１の鍔部３７の下方に前記取付プレート５を配置し、前記鍔部３７の縁の一部が前記溝６に挿入できるように位置合わせした後、前記取付プレート５を上方に移動させると、前記溝６内に前記コック３１の鍔部３７の縁の一部が挿入され、前記コック３１のコック本体３２が前記本体２内へと収容され、前記飲料用補助コック１が前記コック３１に取り付けられる。
【００２５】
図４に示すように、前記蓋３にはヒンジ１４が設けられており、前記ヒンジ１４と前記本体２のヒンジ１０とのヒンジ係合によって、前記蓋３は、図１に示すように、前記上部開口８を開閉可能に前記本体２に取り付けられている。そして、前記上部開口８を閉じた時に、前記本体２の凸部１１と係合するフック１５が前記蓋３には設けられている。前記蓋３は、図２に示すように、平坦部、および、前記平坦部から下方へと傾斜する傾斜部を有しており、前記平坦部と前記傾斜部との接続部分から前記傾斜部へと伸びる開口１３が設けられている。図１に示すように、前記開口１３から前記補助レバー４のグリップ部１６が上方へと突出されており、図２（ａ），（ｂ）に示すように、前記補助レバー４が移動することから、前記グリップ部１６の移動範囲に合わせて前記開口１３の大きさは設定している。前記開口１３は孔の形態を用いているが、切り欠きの形態も可能であり、特に限定するものではなく、前記補助レバー４が操作時に移動することができる範囲が少なくとも開口となっていればよい。
【００２６】
本実施形態では前記傾斜部は前記平坦部に対して３０°下方に傾斜しているが、傾斜角度は特に限定するものではなく、適宜設定することができ、傾斜部を設けないで全てを平坦部とすることも可能である。しかしながら、全てを平坦部とすると、前記蓋３は前記補助レバー４の移動範囲を確保するために、前記蓋３の大きさを、図２において右側へと延伸する必要があり、これによって、前記本体２も大きくする必要があることから、前記飲料用補助コック１全体が大きくなる。このように、前記蓋３に傾斜部を設けることによって、前記飲料用補助コック１のサイズを小さくできるという効果を奏する。
【００２７】
図２に示すように、前記本体２に前記蓋３が固定された時、前記蓋３の平坦部の底面は、前記コック本体３２の上面と当接しており、前記補助レバー４を操作して飲料を注出する際に、前記コック３１を上から押える役割を担う。前記蓋３の底面は、全体が前記コック本体３２の上面と当接する必要は無く、前記蓋３の底面に突起、リブなどを設けて底面の一部が前記コック本体３２の上面と当接する構造とすることも可能であり、特に前記コック３１の上面が平坦ではない場合、前記蓋３の底面に突起、リブなどを設けて前記蓋３が前記コック３１の上面を確実に押圧することが出来るようにすることが好ましい。
【００２８】
前記蓋３はヒンジ係合を用いて前記本体２に開閉可能に取り付けられているが、他の手段を用いて前記本体２に一部が接続された状態で開閉可能に取り付ける形態、または、開閉の際に完全に前記本体２から取り外すことができるように着脱可能に取り付ける形態も可能である。また、前記蓋３を前記本体２に固定する手段はフック以外の手段、嵌合の形態など様々な手段を用いることが可能である。
【００２９】
前記蓋３が平坦部と傾斜部を有することにより、前記本体２の上端もそれに合わせて、平坦な部分と傾斜した部分とを有しており、図２に示すように、前記蓋３が前記本体２の上端と密接し、前記上部開口８を閉じることができるようになっている。
【００３０】
前記補助レバー４は、図５に示すように、手で持って操作する際の持ち手となるグリップ部１６、および、前記コック３１のレバー３３を下方から押圧するアーム部１７を有しており、本実施形態では、前記グリップ部１６の先端に前記アーム部１７が着脱可能に取り付けられており、前記補助レバー４は２つに分離可能な構造を用いている。前記グリップ部１６と前記アーム部１７との接続部分が屈曲部となり、図２に示すように、前記補助レバー４は側面形状が略Ｌ字状を有している。そして、図６に示すように、前記アーム部１７は２つに分岐した先端を有し、平面形状は略Ｕ字状となっている。図２（ｂ）に示すように、前記アーム部１７は、Ｕ字の２つの先端が前記コック３１の２つのレバー３３の下面に当接し上方へと押圧することから、この時、前記アーム部１７が前記レバー３３への力が十分に加えることが出来るように、図５に示すように、前記アーム部１７の先端は上方へと折れ曲がった形状を有しており、さらに、前記アーム部１７の上面には補強用のリブがＵ字状に設けられている。
【００３１】
前記アーム部１７は、図６に示すように、Ｕ字の底の部分にねじ孔２０が設けられ、前記ねじ孔２０に、図５に示すような前記グリップ部１６の先端に設けられたねじ２１が係合されることで、前記グリップ部１６と前記アーム部１７とは互いに着脱可能に接続されている。これにより、前記アーム部１７は前記グリップ部１６の先端から折れ曲がり、突出するように配置されることになる。
【００３２】
前記アーム部１７は、図６に示すように、Ｕ字の底の部分に左右に突出するように軸１９が設けられており、前記軸１９の両端は前記本体２内に設けられた軸受１８へと挿入され、前記補助レバー４は、前記軸１９を支点として回動可能に前記本体２に取り付けられる。この時、前記支点は、図２に示すように、前記コック３１のレバー３３よりも下に位置するように、前記軸１９が前記本体２内に取り付けられている。このような支点の配置により、前記補助レバー４に加える力を少なくできる。
【００３３】
前記飲料用補助コック１の材質は特に限定するものでは無いが、樹脂、金属など様々な材質を用いることができ、部材毎に材質を変えることも可能である。また、各部材の一部を異なる材質とすることも可能であり、強度が必要な箇所には高強度の材質を用いて十分な強度を確保すること、または、デザイン性を高めるために、別の材質のパーツを取り付けることで表面に装飾を施すことも可能である。
【００３４】
次に、第１の実施形態の飲料用補助コック１のコック３１への取付方法および使用方法について説明する。前記飲料用補助コック１を前記コック３１に取り付ける際は、前記蓋３を開け、前記補助レバー４から前記グリップ部１６を取り外し、前記アーム部１７だけが前記本体２に取り付けられた状態とする。
【００３５】
このような状態の飲料用補助コック１を、前記コック３１の下方に配置し、前記取付プレート５の溝６に前記コック３１の鍔部３７の縁の一部が挿入できるように位置合わせした後、前記飲料用補助コック１を上方へと移動させて、前記溝６内に前記鍔部３７の縁を挿入し、前記飲料用補助コック１の本体２内に前記コック３１のコック本体３２を収容する。前記飲料用補助コック１の移動は、前記略Ｕ字状開口７の縁に前記コック３１の通路部３６の外周の下端が当接するまで行う。その後、前記蓋３を閉じて前記本体２に凸部１１とフック１５を用いて前記蓋３を固定すると、図４に示すように、前記飲料用補助コック１は前記コック３１に取り付けられた状態となる。この時、前記補助レバー４のグリップ部１６はまだ取り付けられていない。
【００３６】
前記蓋３を閉じた後、前記蓋３の開口１３に上から前記補助レバー４のグリップ部１６の先端を挿入し、前記グリップ部１６の先端のねじ２１を前記アーム部１７のねじ孔２０に螺合させて、前記補助レバー４の組み立てを行う。前記補助レバー４の組み立てが終わると、前記飲料用補助コック１の前記コック３１への取り付けが完了する。
【００３７】
前記飲料用補助コック１を前記コック３１に取り付けた状態では、図２（ｂ）に示すように、前記飲料用補助コック１は、前記蓋３の底面が前記コック３１の上面と当接し、前記略Ｕ字状開口７の縁が前記通路部３６の外周の下端と当接していることから、前記飲料用補助コック１は上下方向に移動しないように前記コック３１に取り付けられている。さらに、前記飲料用補助コック１の溝６内に前記コック３１の鍔部３７の縁の一部が挿入されていることから、前記飲料用補助コック１は水平方向にも移動しないように前記コック３１に取り付けられている。このようにして、前記飲料用補助コック１は前記コック３１に固定される。
【００３８】
図２（ａ）に示すように、前記飲料用補助コック１を前記コック３１に取り付けた状態では、前記補助レバー４は少し傾いた状態で前記アーム部１７の先端は前記コック３１のレバー３３と当接した状態とすることが好ましいが、少し離れた状態であってもよい。前記アーム部１７の先端が当接しているだけでは、前記レバー３３を押圧して弁を開く程の力は作用していないので、前記コック３１は弁によって前記注出口３４が閉じられた状態となっている。  
【００３９】
前記飲料収容体内の飲料を注出する際には、前記補助レバー４のグリップ部１６を手で、図２（ａ）の状態から右に傾ける方向に力を加え操作する。前記グリップ部１６が傾くと、前記アーム部１７の分岐した２つの先端がそれぞれ前記コック３１の２つのレバー３３を下方から押圧するが、この時、前記コック３１の上面が前記蓋３と当接していることから、前記レバー３３は上へと移動して、図２（ｂ）の状態になり、前記コック３１内の弁が開いて、前記注出口３４から飲料が出てくるようになる。そして、前記注出口３４から出た飲料は前記飲料用補助コック１の注出開口９を通って外部へと注出される。
【００４０】
図２（ｂ）のように、前記補助レバー４を倒す方向に力を加えている間は、継続して飲料の注出が行われており、この時、前記補助レバー４を倒す角度を変化させると、前記レバー３３が上下に移動することから、飲料の注出量を調整することできる。飲料の注出を停止する場合は、前記補助レバー４を離す、または、力を弱めると、前記レバー３３に作用している弾性部材による弾性力によって前記レバー３３は下方へと移動され、前記飲料用補助コック１は図２（ａ）の状態に戻り、前記コック３１の弁が閉じられて飲料の注出が停止される。
【００４１】
前記飲料用補助コック１の補助レバー４の操作は手で持って傾けるだけであることから、従来のように前記コック３１の上面を押えながら前記レバー３３を指先で下方から押圧する操作する場合に比べると、力を加え易くなるので誰でも簡単に操作することが出来るようになる。特に力の弱い人でも簡単に操作することができる。そして、本発明の飲料用補助コック１は、飲料の注出量の調整も非常に簡単であり、微調整も可能となる。そして、前記飲料用補助コック１を操作する際には、前記本体２から上方に突出している前記補助レバー４を手で持つだけであるので、前記注出口３４に手を近づける必要が無いので飲料に触れる恐れが無くなり、従来のような手の汚れも生じなくなる。このような効果を奏する飲料用補助コック１を用いることにより、前記コック３１を様々な種類の飲料の飲料収容体に用いることも可能になる。
【００４２】
次に、第２の実施形態の飲料用補助コック１’について説明する。第２の実施形態の飲料用補助コック１’は、第１の実施形態と同じ形態のコック３１に取り付けて使用するものであることから、前記コック３１に関する説明は省略し、飲料用補助コック１’を中心に、図面を用いて説明する。
【００４３】
第２の実施形態の飲料用補助コック１’は、図８〜１０に示すように、本体２’、蓋３’、および、補助レバー４’を有し、前記コック３１に取り付けて、補助レバー４’を操作することで、前記コック３１を間接的に操作して、前記コック３１が取り付けられた飲料収容体内の飲料を注出することができる。
【００４４】
前記本体２’は、図８〜１０に示すように、前記コック３１を内部に収容する大きさおよび形状を有しており、上部は前記コック３１の２つのレバー３３を収容する大きさであり、前記レバー３３より下方を収容する下部は、前記コック３１のコック本体３２に合わせた形状であり、上部と下部との間に段差があり、下部の下端にはすり鉢状の曲面からなる底面が設けられている。そして、前記本体２’の背面側には、図１１に示すように、矩形の取付プレート５’が設けられている。
【００４５】
さらに、前記本体２’は、略Ｕ字状開口７’、上部開口８’、および、注出開口９’が設けられており、前記略Ｕ字状開口７’および前記上部開口８’を利用して、前記コック３１が内部に収容される。さらに、前記本体２’の内部には、上部と下部との間にある段差の平坦な部分の一部を利用して、図１１に示すように、前記コック３１の２つのレバー３３を下方から保持し押圧するための保持部２３が設けられている。
【００４６】
図１１に示すように、前記略Ｕ字状開口７’は前記取付プレート５’に設けられており、前記コック３１の通路部３６が上方から挿入されるが、前記コック３１に前記飲料用補助コック１’を取り付けた時、図１０（ａ）に示すように、前記通路部３６の外周の下方の面は、前記略Ｕ字状開口７’の下方の縁とは所定の間隔を有して離れるように設定している。
【００４７】
前記本体２’の上部の全体が開放されて前記上部開口８’が設けられている。図１１に示すように、前記本体２の上端の外側には貫通孔１０’と凸部１１’が対向する位置に設けられており、前記貫通孔１０’を用いて前記蓋３’が開閉可能に取り付けられ、前記凸部１１’を用いて前記蓋３’は前記本体２’に固定される。前記貫通孔１０’は、前記本体２’の側面の一部を水平方向に突出させ、突出した部分を垂直方向に貫通して形成されている。前記注出開口９’はすり鉢状の底面の一番下に設けられており、図９，１０に示すように、前記コック３１の注出口３４の先端が前記注出開口９’内に配置され、これにより前記注出口３４から出た飲料は外部へと注出される。
【００４８】
前記取付プレート５’の左右の縁には、図１１に示すように、垂直方向に延伸し、互いに対向するように設けられた２つの溝６’が設けられている。２つの前記溝６’の間隔は、前記溝６’内に前記コック３１の鍔部３７の縁の一部が挿入されるように設定されており、また、２つの前記溝６’の縁の対向する面の間に、前記コック３１の取付部３５が挿入されるように設定されており、これにより、前記飲料用補助コック１’が水平方向に移動しないように前記コック３１に取り付けられる。
【００４９】
図１２に示すように、前記蓋３’は垂直方向に延伸する軸１４’が設けられており、前記軸１４’を前記貫通孔１０’に挿入し、側面に設けた突起を利用して上方に抜けないように取り付けて回転可能に係合させることによって、前記蓋３’は水平方向に回動することができる。このようにして取り付けられた前記蓋３’は水平方向に回動することで、前記上部開口８’を開閉することができる。前記蓋３’は、前記上部開口８’を閉じた時に、前記本体２’の凸部１１’と係合し固定するためのフック１５’も設けられている。
【００５０】
さらに、前記蓋３’は、図１２に示すように、前記補助レバー４’のアーム部１７’が移動可能な開口１３’、および、前記開口１３’の左右から上方に突出し、互いに対向する２つの壁２２が設けられており、前記壁２２の対向する面には、前記補助レバー４’を回動可能に取り付けるための軸受１８’が設けられている。図８に示すように、前記開口１３’内に前記補助レバー４’のアーム部１７’の一部が配置されており、図１０（ａ），（ｂ）に示すように、前記補助レバー４’が移動する際に、前記開口１３’内を通過するように前記アーム部１７’が移動することから、前記アーム部１７’の移動範囲に合わせて前記開口１３’の大きさは設定している。さらに、図１０に示すように、前記蓋３’の底面にはリブ２４が設けられており、前記リブ２４は前記本体２’の上端の縁と当接し、前記蓋３’の水平方向へのずれを防止する。
【００５１】
図１３に示すように、前記補助レバー４’は、手で持って操作する際の持ち手となるグリップ部１６’、および、前記コック３１のコック本体３２の上面を上から押圧するアーム部１７’を有しており、前記グリップ部１６’の先端のねじ２１’が、前記アーム部１７’のねじ孔２０’と螺合されることにより、互いに着脱可能に取り付けられている。前記グリップ部１６’と前記アーム部１７’との接続部分が屈曲部となり、図１０に示すように、前記補助レバー４’は側面形状が略Ｌ字状を有している。前記アーム部１７’の先端は、図１０（ｂ）に示すように、前記コック３１の上面を上から押えるように作用する。前記補助レバー４’は、前記グリップ部１６’と前記アーム部１７’とを一体とし、１つの部材とすることも可能であり、別の部分で２つに分割することも可能である。
【００５２】
図１３に示すように、前記アーム部１７’は側面から左右に突出する軸１９’が設けられており、図８に示すように、前記軸１９’の両端が前記蓋３’の壁２２に設けられた軸受１８’へと挿入されることにより、前記補助レバー４’は、前記軸１９’を支点として回動可能に前記蓋３’に取り付けられる。前記補助レバー４’が回動すると、前記アーム１７’が前記蓋３’の開口１３’内を移動し、図１０（ｂ）に示すように、前記コック３１の上面に上から力を加えることができる。
【００５３】
第２の実施形態の飲料用補助コック１’のコック３１への取付方法および使用方法について説明する。前記飲料用補助コック１’を前記コック３１に取り付ける際は、前記蓋３’を水平方向に回動させて、前記本体２’の上部開口８’を開けた状態としておく。この時、前記補助レバー４’は、第１の実施形態とは異なり、前記グリップ部１６’を取り外しておく必要は無く、前記アーム部１７’に取り付けた状態とする。
【００５４】
このような状態の飲料用補助コック１’を、前記コック３１の下方に配置し、前記取付プレート５’の溝６’に前記コック３１の鍔部３７の縁の一部が挿入できるように位置合わせした後、上方へと移動させて、前記溝６’内に前記鍔部３７の縁を挿入し、前記飲料用補助コック１’の本体２’内に前記コック本体３２を収容する。その後、前記蓋３’を閉じて前記本体２’に凸部１１’とフック１５’を用いて固定すると、前記飲料用補助コック１’は前記コック３１に取り付けられた状態となる。この時、図１０（ａ）に示すように、前記略Ｕ字状開口７’の下方の縁と前記コック３１の通路部３６との間には間隔があり、当接していない。
【００５５】
前記飲料用補助コック１’を前記コック３１に取り付けた状態では、図９（ａ），１０（ａ）に示すように、前記コック３１の上面が前記蓋３’の底面と当接した状態となっていることから、前記飲料用補助コック１’は下方向に移動しないように前記コック３１に取り付けられることになる。さらに、前記飲料用補助コック１’の溝６’内に前記コック３１の鍔部３７の縁の一部が挿入されていることで、前記飲料用補助コック１’は水平方向に移動しないように前記コック３１に取り付けられている。このようにして、前記飲料用補助コック１’は前記コック３１に固定され、図９（ａ），１０（ａ）に示す状態となる。この時、前記コック３１の通路部３６は前記略Ｕ字状開口７’の下方の縁から離れているので、前記飲料用補助コック１’は、前記コック３１に対して上方向には移動可能な状態となっている。
【００５６】
このようにして前記飲料用補助コック１’を前記コック３１に取り付けた状態では、図１０（ａ）において、前記補助レバー４’は少し右側に傾いた状態であり、前記アーム部１７’の先端から半分ぐらいが前記開口１３’内に位置し、先端が前記コック３１の上面の中心付近に当接した状態となっている。この時、前記コック３１の２つのレバー３３には特に力が作用していないことから、前記コック３１は弁によって前記注出口３４が閉じられた状態となっている。  
【００５７】
前記飲料収容体内の飲料を注出する際には、前記補助レバー４’のグリップ部１６’を手で、図１０（ａ）においてさらに右側に傾けるように操作する。前記グリップ部１６’が傾くと、前記アーム部１７’の先端が前記コック３１の上面の中心付近を上方から押圧する。この時、前記コック３１は前記飲料収容体に固定されていて動かないことから、前記飲料用補助コック１’に、前記コック３１に対して上方に移動する力が作用することになる。このような力が作用すると前記飲料用補助コック１’は、前記溝６’内に前記コック３１の鍔部３７の縁の一部が挿入されていることにより上方にスライドすることになる。
【００５８】
前記飲料用補助コック１’が前記コック３１に対して上方にスライド移動すると、前記飲料用補助コック１’の保持部２３も上方に移動するので、前記保持部２３は前記コック３１の２つのレバー３３の下面と当接し、下から上方に押圧するようになり、図９（ｂ），１０（ｂ）の状態となる。この時、前記レバー３３は上へと移動しており、その結果、前記コック３１内の弁が開いて、前記注出口３４から飲料が注出されるようになる。そして、前記注出口３４から出た飲料は前記飲料用補助コック１’の注出開口９’を通って外部へと注出される。
【００５９】
前記補助レバー４’を、図９（ｂ），１０（ｂ）の状態で右側に傾ける方向に力を加えている間は、前記飲料用補助コック１’は上方へと移動した状態で保持され、継続して飲料の注出が行われており、この時、前記補助レバー４’を傾ける角度を変化させると、前記飲料用補助コック１’は上下に移動して、前記レバー３３も上下に移動することから、飲料の注出量を調整することできる。飲料の注出を停止する場合は、前記補助レバー４’を離す、または、力を弱めると、前記レバー３３に作用している弾性部材による弾性力によって前記レバー３３は下方へと移動され、前記飲料用補助コック１も下方へと移動して、図９（ａ），１０（ａ）の状態に戻り、前記コック３１の弁が閉じられて飲料の注出が停止される。
【００６０】
前記補助レバー４’を傾けた時に、前記飲料用補助コック１’には上方への力だけではなく、水平方向（前記飲料収容体から前記飲料用補助コック１’が離れる方向）への力も作用する。前記飲料用補助コック１’に対して水平方向に力が作用しても、前記溝６’内に前記コック３１の鍔部３７の縁の一部が挿入されているので、前記飲料用補助コック１’が水平方向に移動するのは防止されているが、水平方向の力は前記補助レバー４’を介して前蓋３’に作用しているので、前記蓋３’は前記本体２’に対して水平方向にずれる可能性がある、この時、図１０（ｂ）に示すように、前記蓋３’に設けたリブ２４が前記本体２’の上端の縁に当接し、前記蓋３’が水平方向にすれるのを防止することができる。
【００６１】
第２の実施形態の前記飲料用補助コック１’も、第１の実施形態と同様に、補助レバー４’は誰でも簡単に操作することができ、飲料の注出量の調整も非常に簡単に行うことができる。そして、従来のような手の汚れも防止することができるという効果を奏し、前記コック３１を様々な種類の飲料に用いることができるようになる。
【００６２】
前記飲料用補助コック１’は、前記コック３１に対して上下にスライドすることから、この動作を利用して、前記飲料用補助コック１’を前記コック３１に取り付けた時には、前記コック３１の注出口３４が前記飲料用補助コック１’の注出開口９’よりも上方に位置し、飲料を注出する際には、前記コック３１の注出口３４が前記注出開口９’から下方に突出するように、前記注出開口９’を設けることができる。これにより、飲料を注出する時だけ注出口３４を外部に露出させ、それ以外の時は、前記飲料用補助コック１’内に注出口３４を収容することが出来るようになり、前記コック３１の注出口３４を清潔に保つことができるという効果を奏する。
【００６３】
本発明の飲料用補助コック１，１’は、補助レバー４，４’を用いることで、従来よりも簡単な操作で飲料の注出を可能にすると同時に、注出量を微調整することができることから、従来のコックを誰でも簡単に使用することができるようになる。そして、本発明の飲料用補助コック１，１’は、コック３１に着脱可能に取り付けることができるので、繰り返し使用することも可能である。
【符号の説明】
【００６４】
１，１’      飲料用補助コック
２，２’      本体
３，３’      蓋
４，４’      補助レバー
５，５        取付プレート
６，６’      溝
７，７’      Ｕ字状開口
８，８’      上部開口
９，９’      注出開口
１０  ヒンジ
１０’        貫通孔
１１，１１’  凸部
１２          補強用リブ
１３，１３’  開口
１４          ヒンジ
１４’        軸
１５，１５’  フック
１６，１６’  グリップ部
１７，１７’  アーム部
１８，１８’  軸受
１９，１９’  軸
２０          ねじ孔
２１          ねじ
２２          壁
２３          保持部
２４          リブ
３０          飲料収容体
３１          コック
３２          コック本体
３３          レバー
３４          注出口
３５          取付部
３６          通路部
３７          鍔部
【図１】
2020050410.tif 000003
【図２】
2020050410.tif 000004
【図３】
2020050410.tif 000005
【図４】
2020050410.tif 000006
【図５】
2020050410.tif 000007
【図６】
2020050410.tif 000008
【図７】
2020050410.tif 000009
【図８】
2020050410.tif 000010
【図９】
2020050410.tif 000011
【図１０】
2020050410.tif 000012
【図１１】
2020050410.tif 000013
【図１２】
2020050410.tif 000014
【図１３】
2020050410.tif 000015